(57)【要約】      （修正有）【課題】スマートフォンの画面を開いて使用する状態と画面を保護する状態とを片手で切り替えることができ、使用時に煩わされるものがなく、片手で容易に画面操作を行うことができるスマートフォンカバーを提供する。【解決手段】内カバー１１が、スマートフォンの背面側に固定され、外カバー１２が、スマートフォンの正面側の画面３を被覆可能に設けられている。１対の回転補助部材１３が、スマートフォンの平行な１対の側面の外方で、内カバーと外カバーとを回転可能に連結している。外カバーに対して内カバーを回転できるよう、外カバーに対して内カバーをスライド可能である。外カバーに対して内カバーを回転およびスライドさせることにより、外カバーが画面を覆う保護状態と、外カバーが画面を開放して内カバーの背面を覆う使用状態との間で変形可能である。【選択図】図７
2020096252.tif 000002
【特許請求の範囲】
【請求項１】
長方形板状のスマートフォンの背面側を覆って前記スマートフォンを固定可能に設けられた内カバーと、
前記内カバーに固定した前記スマートフォンの正面側の画面を被覆可能に設けられた外カバーと、
前記スマートフォンの平行な１対の側面の外方に、前記内カバーと前記外カバーとを、それぞれ前記スマートフォンの平行な他方の側面に沿った回転軸を中心として回転可能に連結するよう設けられた１対の回転補助部材とを有し、
各回転軸を中心として前記外カバーに対して前記内カバーを回転できるよう、各回転軸に対して垂直な方向に前記外カバーに対して前記内カバーをスライド可能であり、前記外カバーに対して前記内カバーを回転およびスライドさせることにより、前記外カバーが前記画面を覆う保護状態と、前記外カバーが前記画面を開放して前記内カバーの背面を覆う使用状態との間で変形可能に構成されていることを
特徴とするスマートフォンカバー。
【請求項２】
前記内カバーは、固定した前記スマートフォンの前記１対の側面のそれぞれの中央部に対応する位置から、互いに外側に向かって突出する１対の内側回転軸部を有し、
前記外カバーは、前記保護状態のとき、前記スマートフォンの前記１対の側面のそれぞれ同じ側の端部に対応する位置に、各側面に沿って細長く設けられた１対の外側スライド溝を有し、
各回転補助部材は、それぞれ対応する前記外側スライド溝にスライド可能に挿入された連結回転軸部と、前記連結回転軸部の方向に伸びて細長く設けられ、それぞれ対応する前記内側回転軸部をスライド可能に挿入した連結スライド溝とを有することを
特徴とする請求項１記載のスマートフォンカバー。
【請求項３】
各外側スライド溝と各内側回転軸部とが離れるよう、各連結回転軸部と各内側回転軸部とをスライドさせて、各回転補助部材に対して、各内側回転軸部を中心として前記内カバーを相対的に回転させると共に、各連結回転軸部を中心として前記外カバーを相対的に回転させ、さらに各外側スライド溝と各内側回転軸部とが近づくよう、各連結回転軸部と各内側回転軸部とをスライドさせることにより、前記保護状態と前記使用状態との間で変形可能に構成されていることを特徴とする請求項２記載のスマートフォンカバー。
【請求項４】
各連結スライド溝は、前記保護状態のとき、前記連結回転軸部側の端部からその反対側の端部に向かって、水平または、前記スマートフォンの正面側から背面側に傾斜して設けられていることを特徴とする請求項２または３記載のスマートフォンカバー。
【請求項５】
各回転補助部材は、前記保護状態および前記使用状態のとき、前記スマートフォンの前記１対の側面のそれぞれに沿うよう設けられ、１または複数の磁石またはバネ素材を有し、
前記内カバーは、前記保護状態および前記使用状態のとき、各回転補助部材と対向するよう設けられた１対の内側側縁部を有し、各内側側縁部に、前記保護状態および前記使用状態のとき、各回転補助部材の前記磁石または前記バネ素材との間で引力または元の形状へ戻る力が作用し、前記保護状態および前記使用状態から各内側回転軸部を各連結スライド溝に沿ってスライドさせたとき、各回転補助部材の前記磁石または前記バネ素材との間で斥力が作用するよう設けられた１または複数の磁石またはバネ素材を有することを
特徴とする請求項２乃至４のいずれか１項に記載のスマートフォンカバー。
【発明の詳細な説明】
【技術分野】
【０００１】
本発明は、スマートフォンカバーに関する。
【背景技術】
【０００２】
従来のスマートフォンカバーとしては、スマートフォンの背面側のみを覆う背面保護型のものや、スマートフォンの正面側の画面と背面側とを覆い、正面側の蓋を開閉可能に設けられた手帳型のもの（例えば、特許文献１参照）がある。背面保護型のスマートフォンカバーは、正面側の画面やカメラレンズが保護されないため、近年では、画面やカメラレンズを保護することができる手帳型のスマートフォンカバーが広く使用されている。
【先行技術文献】
【特許文献】
【０００３】
【特許文献１】実用新案登録第３１９４９２６号公報
【発明の概要】
【発明が解決しようとする課題】
【０００４】
しかしながら、特許文献１に記載のような手帳型のスマートフォンカバーでは、上蓋を開閉する際に両手を使用する必要があるため、片手がふさがっている場合には、スマートフォンを使用することができないという課題があった。また、画面を操作するとき、開いた上蓋が邪魔になるため、上蓋を手などで押さえる必要があり、煩わしいという課題かもあった。
【０００５】
本発明は、このような課題に着目してなされたもので、スマートフォンの画面を開いて使用する状態と画面を保護する状態とを片手で切り替えることができ、使用時に煩わされるものがなく、片手で容易に画面操作を行うことができるスマートフォンカバーを提供することを目的とする。
【課題を解決するための手段】
【０００６】
上記目的を達成するために、本発明に係るスマートフォンカバーは、長方形板状のスマートフォンの背面側を覆って前記スマートフォンを固定可能に設けられた内カバーと、前記内カバーに固定した前記スマートフォンの正面側の画面を被覆可能に設けられた外カバーと、前記スマートフォンの平行な１対の側面の外方に、前記内カバーと前記外カバーとを、それぞれ前記スマートフォンの平行な他方の側面に沿った回転軸を中心として回転可能に連結するよう設けられた１対の回転補助部材とを有し、各回転軸を中心として前記外カバーに対して前記内カバーを回転できるよう、各回転軸に対して垂直な方向に前記外カバーに対して前記内カバーをスライド可能であり、前記外カバーに対して前記内カバーを回転およびスライドさせることにより、前記外カバーが前記画面を覆う保護状態と、前記外カバーが前記画面を開放して前記内カバーの背面を覆う使用状態との間で変形可能に構成されていることを特徴とする。
【０００７】
本発明に係るスマートフォンカバーは、内カバーにスマートフォンを固定した状態で、内カバーでスマートフォンの背面側を覆い、外カバーでスマートフォンの正面側の画面を覆うことにより、スマートフォンを保護することができる。内カバーは、スマートフォンの背面全体を覆うよう設けられていることが好ましく、撮影用のレンズがスマートフォンの背面に設けられているときには、スマートフォンの背面のうち、そのレンズの位置を除いた部分全体を覆うよう設けられていることが好ましい。また、外カバーは、少なくとも保護状態のとき、スマートフォンの正面全体を覆うよう設けられていることが好ましい。
【０００８】
本発明に係るスマートフォンカバーは、以下のようにして、スマートフォンの画面を開いて使用する状態と画面を保護する状態とを切り替えることができる。すなわち、まず、外カバーがスマートフォンの画面を保護する保護状態のとき、外カバーに対して内カバーをスライドさせて横にずらす。次に、外カバーに対して内カバーを回転させて、内カバーの背面側に外カバーが位置するように移動させる。この回転の前に、外カバーに対して内カバーを横にずらしておくことで、外カバーに対して内カバーを回転させるためのスペースをあけることができる。回転後には、内カバーの背面側で、外カバーに対して内カバーが横にずれているため、外カバーに対して内カバーをスライドさせて、外カバーが内カバーの背面に重なる位置まで移動させる。こうして、本発明に係るスマートフォンカバーは、保護状態から、外カバーが画面を開放して内カバーの背面を覆う使用状態にすることができる。また、使用状態のとき、同様にして、スライド、回転、スライドの操作をすることにより、保護状態にすることができる。
【０００９】
本発明に係るスマートフォンカバーは、例えば、片手で外カバーを把持し、把持した手の指で内カバーをスライド、回転、スライドさせることができ、スマートフォンの画面を開いて使用する状態と画面を保護する状態とを片手で切り替えることができる。また、スマートフォンの使用時には、外カバーが内カバーの背面を覆う位置まで移動しているため、外カバーが邪魔にならない。このため、使用時に煩わされるものがなく、片手で容易に画面操作を行うことができる。
【００１０】
本発明に係るスマートフォンカバーで、各回転補助部材は、長方形板状のスマートフォンの各短辺の側面の外方に設けられていることが好ましいが、各長辺の側面の外方に設けられていてもよい。また、外カバーは、使用状態のとき、スマートフォンの背面に設けられた撮影用のレンズの位置を開放するよう設けられていることが好ましい。
【００１１】
本発明に係るスマートフォンカバーは、外カバーを、保護状態のときのスマートフォンの画面に沿った面内で、内カバーに対して１８０度回転させて、各回転補助部材に付け替え可能であってもよい。この場合、外カバーを付け替えることにより、選択的に、右手で容易にスライドや回転の操作ができる構成、または、左手で容易にスライドや回転の操作ができる構成にすることができる。
【００１２】
本発明に係るスマートフォンカバーで、前記内カバーは、固定した前記スマートフォンの前記１対の側面のそれぞれの中央部に対応する位置から、互いに外側に向かって突出する１対の内側回転軸部を有し、前記外カバーは、前記保護状態のとき、前記スマートフォンの前記１対の側面のそれぞれ同じ側の端部に対応する位置に、各側面に沿って細長く設けられた１対の外側スライド溝を有し、各回転補助部材は、それぞれ対応する前記外側スライド溝にスライド可能に挿入された連結回転軸部と、前記連結回転軸部の方向に伸びて細長く設けられ、それぞれ対応する前記内側回転軸部をスライド可能に挿入した連結スライド溝とを有することが好ましい。
【００１３】
この場合、保護状態から使用状態に変形させるとき、まず、各外側スライド溝と各内側回転軸部とが離れるよう、各連結回転軸部を各外側スライド溝に沿ってスライドさせるとともに、各内側回転軸部を各連結スライド溝に沿ってスライドさせる。次に、各回転補助部材に対して、各内側回転軸部を中心として前記内カバーを相対的に回転させると共に、各連結回転軸部を中心として前記外カバーを相対的に回転させて、内カバーの背面側に外カバーが位置するように移動させる。さらに、各外側スライド溝と各内側回転軸部とが近づくよう、各連結回転軸部を各外側スライド溝に沿ってスライドさせるとともに、各内側回転軸部を各連結スライド溝に沿ってスライドさせる。これにより、保護状態から使用状態にすることができる。また、使用状態のとき、同様にして、スライド、回転、スライドの操作をすることにより、保護状態にすることができる。なお、各外側スライド溝や各連結スライド溝は、細長い孔から成っていてもよい。
【００１４】
本発明に係るスマートフォンカバーで、各連結スライド溝は、前記保護状態のとき、前記連結回転軸部側の端部からその反対側の端部に向かって、水平または、前記スマートフォンの正面側から背面側に傾斜して設けられていることが好ましい。この場合、保護状態と使用状態との間で変形する際に、各外側スライド溝と各内側回転軸部とが離れるよう、各内側回転軸部を各連結スライド溝に沿ってスライドさせたとき、外カバーに対して内カバーが横にずれると共に、内カバーと外カバーとの間隔を開くことができる。これにより、外カバーに対して内カバーを相対的に回転させやすくすることができる。
【００１５】
本発明に係るスマートフォンカバーで、各回転補助部材は、前記保護状態および前記使用状態のとき、前記スマートフォンの前記１対の側面のそれぞれに沿うよう設けられ、１または複数の磁石またはバネ素材を有し、前記内カバーは、前記保護状態および前記使用状態のとき、各回転補助部材と対向するよう設けられた１対の内側側縁部を有し、各内側側縁部に、前記保護状態および前記使用状態のとき、各回転補助部材の前記磁石または前記バネ素材との間で引力または元の形状へ戻る力が作用し、前記保護状態および前記使用状態から各内側回転軸部を各連結スライド溝に沿ってスライドさせたとき、各回転補助部材の前記磁石または前記バネ素材との間で斥力が作用するよう設けられた１または複数の磁石またはバネ素材を有することが好ましい。または、内カバーおよび外カバーのいずれか一方のみが、上記の１または複数の磁石を有していてもよい。
【００１６】
これらの磁石を有する場合、保護状態または使用状態からスライドさせることにより、各回転補助部材の磁石と、内カバーの磁石および／または外カバーの磁石との間に斥力が作用して、それぞれ使用状態または保護状態に向かう回転運動やスライド運動を付勢することができる。このため、保護状態と使用状態との間の変形を、容易に行うことができる。また、保護状態および使用状態のとき、各回転補助部材の磁石と、内カバーの磁石および／または外カバーの磁石との間に作用する引力により、その位置を保持することができる。
【００１７】
本発明に係るスマートフォンカバーで、前記スマートフォンは、背面に撮影用のレンズを有し、前記内カバーは、固定した前記スマートフォンの前記レンズに対応する位置に設けられた内側窓部を有し、前記外カバーは、前記使用状態のときの前記スマートフォンの前記レンズに対応する位置に設けられた外側窓部と、前記保護状態のとき前記外側窓部を覆い、前記使用状態のとき前記外側窓部を開放するよう設けられたレンズカバーとを有していてもよい。この場合、スマートフォンの背面側に内カバーおよび外カバーが位置する使用状態のときでも、背面のレンズを使用することができる。また、保護状態のとき、レンズカバーで外側窓部を覆うため、スマートフォンの画面を外カバーで保護することができる。
【００１８】
また、この場合、レンズカバーを、外側窓部を覆う位置と開放する位置との間で移動させる構成は、磁石やバネ、弾性体などを利用する構成や、手動でレンズカバーを移動させる構成など、いかなる構成であってもよい。例えば、前記レンズカバーは磁石を有し、前記内カバーは、前記外カバーに対して回転して前記保護状態から前記使用状態にするとき、前記レンズカバーの前記磁石と反発して、前記外側窓部を開放する位置まで前記レンズカバーを移動させるよう設けられた第１磁石と、前記外カバーに対して回転して前記使用状態から前記保護状態にするとき、前記レンズカバーの前記磁石と引き合って、前記外側窓部を覆う位置まで前記レンズカバーを移動させるよう設けられた第２磁石とを有する構成であってもよい。
【００１９】
本発明に係るスマートフォンカバーで、前記内カバーは、各内側回転軸部を有する基板部と、前記スマートフォンを固定するよう設けられ、固定した前記スマートフォンが前記基板部の前記外カバーとは反対側に立ち上がって傾斜するよう、前記基板部に取り付けられた固定傾斜部とを有していてもよい。この場合、使用状態の時に、固定傾斜部により、スマートフォンを傾斜した状態に維持することができる。このため、例えば動画等を視聴する際に、スマートフォンを傾斜させた状態でテーブル等の上に置いて使用することができる。なお、本発明において、磁石の代わりにバネなどを用いてもよい。
【発明の効果】
【００２０】
本発明によれば、スマートフォンの画面を開いて使用する状態と画面を保護する状態とを片手で切り替えることができ、使用時に煩わされるものがなく、片手で容易に画面操作を行うことができるスマートフォンカバーを提供することができる。
【図面の簡単な説明】
【００２１】
【図１】本発明の実施の形態のスマートフォンカバーの、各部材を分解した状態を示す斜視図である。
【図２】本発明の実施の形態のスマートフォンカバーの、内カバーの基板部を示す（ａ）内面側の斜視図、（ｂ）異なる角度からの内面側の斜視図である。
【図３】本発明の実施の形態のスマートフォンカバーの、内カバーの固定傾斜部を示す（ａ）内面側の斜視図、（ｂ）異なる角度からの内面側の斜視図、（ｃ）外面側の斜視図である。
【図４】本発明の実施の形態のスマートフォンカバーの、外カバーを示す（ａ）内面側の斜視図、（ｂ）異なる角度からの内面側の斜視図である。
【図５】本発明の実施の形態のスマートフォンカバーの、回転補助部材を示す（ａ）斜視図、（ｂ）反対側からの斜視図である。
【図６】本発明の実施の形態のスマートフォンカバーの、（ａ）回転補助部材の外カバー側の側面および外カバーの磁石の配置の対応関係を示す側面図、（ｂ）回転補助部材の内カバー側の側面および内カバーの磁石の配置の対応関係を示す側面図である。
【図７】本発明の実施の形態のスマートフォンカバーの、（ａ）〜（ｅ）保護状態から使用状態への変形動作を示す斜視図である。
【図８】本発明の実施の形態のスマートフォンカバーの、図７（ｂ）から図７（ｃ）への変形時の、回転補助部材および外カバーの動作を示す側面図である。
【図９】本発明の実施の形態のスマートフォンカバーの、図７（ｂ）から図７（ｃ）への変形時の、回転補助部材および内カバーの動作を示す側面図である。
【図１０】本発明の実施の形態のスマートフォンカバーの、図７（ｃ）から図７（ｄ）への変形時の、回転補助部材および内カバーの動作を示す側面図である。
【図１１】本発明の実施の形態のスマートフォンカバーの、内カバーを傾斜して保持した使用状態を示す斜視図である。
【図１２】本発明の実施の形態のスマートフォンカバーの、（ａ）〜（ｃ）内カバーの固定傾斜部を基板部に対して傾斜させるときの変形動作を示す斜視図、（ｄ）〜（ｅ）固定傾斜部の爪部を基板部の引掛溝に引っ掛ける動作を示す断面図および側面図、（ｆ）基板部に対して固定傾斜部を傾斜させた状態を示す斜視図である。
【図１３】本発明の実施の形態のスマートフォンカバーの、レンズカバーを有する変形例を示す、（ａ）レンズカバーを閉じた状態、（ｂ）レンズカバーを開く状態、（ｃ）レンズカバーを開いた状態、（ｄ）レンズカバーを閉じる状態の斜視図である。
【図１４】本発明の実施の形態のスマートフォンカバーの、外カバーを１８０度回転して付け替え可能な変形例の、（ａ）左手で操作するとき、（ｂ）右手で操作するときの外カバーの使用状態を示す斜視図である。
【発明を実施するための形態】
【００２２】
以下、図面に基づいて、本発明の実施の形態について説明する。
図１乃至図１４は、本発明の実施の形態のスマートフォンカバーを示している。
図１乃至図５に示すように、スマートフォンカバー１０は、内カバー１１と外カバー１２と１対の回転補助部材１３とを有している。なお、スマートフォン１は、薄い長方形板状を成し、背面に撮影用のレンズ２を有している。
【００２３】
［各部材の基本構成］
図１乃至図３に示すように、内カバー１１は、基板部２１と固定傾斜部２２とを有している。基板部２１および固定傾斜部２２は、概ね長方形板状を成し、基板部２１の上に固定傾斜部２２を重ね合わせ、固定傾斜部２２の上にスマートフォン１を固定可能になっている。基板部２１および固定傾斜部２２は、固定したスマートフォン１の撮影用のレンズ２に対応する位置に設けられた内側窓部２１ａ、２２ａをそれぞれ有しており、その内側窓部２１ａ、２２ａを除いた背面全体を覆うよう設けられている。
【００２４】
図１および図２に示すように、基板部２１は、固定したスマートフォン１の各短辺の側面を覆うよう設けられた１対の内側側縁部２１ｂと、スマートフォン１の一方の長辺の側面を覆うよう設けられた第１長辺側縁部２１ｃとを有している。また、図２に示すように、基板部２１は、１対の内側回転軸部２１ｄと１対の回転用ガイド溝２１ｅと１対のスライド用ガイド溝２１ｆと固定部２１ｇと透明カバー２１ｈと複数の磁石３１とを有している。
【００２５】
各内側回転軸部２１ｄは、固定したスマートフォン１の各短辺の側面のそれぞれの中央部に対応する位置、すなわち、各内側側縁部２１ｂの外側面の長さ方向の中心位置から、互いに外側に向かって突出して設けられている。各回転用ガイド溝２１ｅは、各内側側縁部２１ｂの内側面の第１長辺側縁部２１ｃの側の端部に設けられている。各スライド用ガイド溝２１ｆは、各内側側縁部２１ｂの内側面の第１長辺側縁部２１ｃとは反対側の端部に設けられている。各スライド用ガイド溝２１ｆは、各内側側縁部２１ｂの長さ方向に沿って細長く形成されており、第１長辺側縁部２１ｃとは反対側に向かって開放されている。固定部２１ｇは、スマートフォン１を固定可能に、第１長辺側縁部２１ｃの内側面に設けられている。透明カバー２１ｈは、内側窓部２１ａに取り付けられている。各磁石３１は、各内側側縁部２１ｂに、各内側側縁部２１ｂの長さ方向に沿って並んで取り付けられている。
【００２６】
図１および図３に示すように、固定傾斜部２２は、固定したスマートフォン１の他方の長辺の側面を覆うよう設けられた第２長辺側縁部２２ｂを有している。また、図３に示すように、固定傾斜部２２は、１対の傾斜用回転軸部２２ｃと１対の爪部２２ｄと１対のスライド挿入部２２ｅとを有している。各傾斜用回転軸部２２ｃは、各短辺の第２長辺側縁部２２ｂとは反対側の端部に、第２長辺側縁部２２ｂの長さ方向に沿って突出して設けられている。各爪部２２ｄは、それぞれ各傾斜用回転軸部２２ｃから、第２長辺側縁部２２ｂの長さ方向に対して垂直方向に突出して設けられている。各スライド挿入部２２ｅは、それぞれ第２長辺側縁部２２ｂの両端面に、第２長辺側縁部２２ｂの長さ方向に沿って外側に向かって突出して設けられている。
【００２７】
固定傾斜部２２は、基板部２１の内側に重ね合わせたとき、各傾斜用回転軸部２２ｃがそれぞれ対応する回転用ガイド溝２１ｅに挿入され、各スライド挿入部２２ｅがそれぞれ対応するスライド用ガイド溝２１ｆに挿入されるよう構成されている。また、固定傾斜部２２は、基板部２１の内側に重ね合わせた状態から、各内側側縁部２１ｂの長さ方向に沿って、第２長辺側縁部２２ｂの側にスライドさせることにより、各スライド挿入部２２ｅが各スライド用ガイド溝２１ｆから外れるよう構成されている。
【００２８】
図１および図４に示すように、外カバー１２は、概ね長方形板状を成し、内カバー１１に固定したスマートフォン１の正面側の画面３を被覆可能な大きさを有している。また、外カバー１２は、内カバー１１に固定したスマートフォン１の画面３を覆う位置と、その画面３を開放して内カバー１１の背面を覆う位置との間で移動可能になっている。これにより、スマートフォンカバー１０は、外カバー１２が内カバー１１に固定したスマートフォン１の画面３を覆う保護状態と、外カバー１２がその画面３を開放して内カバー１１の背面を覆う使用状態との間で変形可能に構成されている。
【００２９】
外カバー１２は、表面に対して同じ側に垂直に伸びるよう、短辺に沿って設けられた１対の外側側縁部１２ａを有している。各外側側縁部１２ａは、保護状態のとき、内カバー１１の各内側側縁部２１ｂを外側から覆うよう設けられている。また、外カバー１２は、使用状態のときの内カバー１１に固定したスマートフォン１の撮影用のレンズ２に対応する位置に設けられた外側窓部１２ｂを有している。
【００３０】
また、図４に示すように、外カバー１２は、１対の外側スライド溝１２ｃと回転補助凸部１２ｄとストラップ等取付部１２ｅと複数の磁石３２とを有している。各外側スライド溝１２ｃは、画面３を覆ったスマートフォン１の各短辺の側面のそれぞれ同じ側の端部に対応する位置、すなわち、各外側側縁部１２ａのそれぞれ同じ側の端部に、各外側側縁部１２ａの長さ方向に沿って細長く設けられている。各外側スライド溝１２ｃは、各外側側縁部１２ａの厚みを貫通して設けられた細長い孔から成っている。回転補助凸部１２ｄは、外カバー１２の長辺のうち、各外側側縁部１２ａの各外側スライド溝１２ｃとは反対側の長辺に沿って、外カバー１２の表面に対して各外側側縁部１２ａと同じ側に突出するよう設けられている。ストラップ等取付部１２ｅは、一方の外側側縁部１２ａの外側面の中央部に設けられている。各磁石３２は、各外側側縁部１２ａに、各外側側縁部１２ａの長さ方向に沿って並んで取り付けられている。
【００３１】
図１および図５に示すように、各回転補助部材１３は、薄くて細長い棒状であり、内カバー１１の各内側側縁部２１ｂおよび外カバー１２の各外側側縁部１２ａとほぼ同じ長さを有している。各回転補助部材１３は、内カバー１１に固定されたスマートフォン１の各短辺の側面の外方で、各内側側縁部２１ｂと各外側側縁部１２ａとの間にそれぞれ配置されている。図５に示すように、各回転補助部材１３は、連結スライド溝１３ａと連結回転軸部１３ｂと複数の磁石３３とを有している。各連結スライド溝１３ａは、各回転補助部材１３の長さ方向の中心部に、その長さ方向に沿ってやや傾斜して伸びるよう設けられている。各連結スライド溝１３ａは、各回転補助部材１３の厚みを貫通して設けられた細長い孔から成っている。各連結回転軸部１３ｂは、各回転補助部材１３の一方の端部に、各回転補助部材１３の一方の表面から外側に向かって突出して設けられている。各磁石３３は、各回転補助部材１３の長さ方向に沿って並んで取り付けられている。
【００３２】
各回転補助部材１３は、それぞれ対応する外カバー１２の外側スライド溝１２ｃに連結回転軸部１３ｂをスライド可能に挿入し、それぞれ対応する内カバー１１の内側回転軸部２１ｄを連結スライド溝１３ａにスライド可能に挿入して、前記内カバー１１と前記外カバー１２とを連結している。また、これにより、各回転補助部材１３は、内カバー１１と外カバー１２とを、それぞれ内カバー１１に固定したスマートフォン１の各長辺の側面に沿った回転軸、すなわち、内カバー１１の各内側回転軸部２１ｄおよび各連結回転軸部１３ｂを中心として回転可能に設けられている。
【００３３】
各回転補助部材１３は、保護状態および使用状態のとき、スマートフォン１の各短辺の側面のそれぞれに沿って、内カバー１１の各内側側縁部２１ｂおよび外カバー１２の各外側側縁部１２ａと対向するよう設けられている。また、各回転補助部材１３は、保護状態および使用状態のとき、外カバー１２が各連結回転軸部１３ｂの側に向かってスライド可能、かつ、内カバー１１がその反対側に向かってスライド可能になるよう設けられている。また、各連結スライド溝１３ａは、保護状態のとき、各連結回転軸部１３ｂの側の端部からその反対側の端部に向かって、スマートフォン１の正面側から背面側に傾斜して設けられている。
【００３４】
［各部材の磁石の構成例］
図６に示すように、各回転補助部材１３の磁石３３は、それぞれ８つから成り、外カバー１２側の表面に４つ、内カバー１１側の表面に４つ配置され、それぞれ連結スライド溝１３ａの両側に２つずつ並んで配置されている。図６（ａ）に示すように、外カバー１２側の表面に配置された磁石３３は、連結回転軸部１３ｂと反対側の端部のものから順に、外カバー１２に向かって、磁石３３ａがＳ極、磁石３３ｂがＮ極、磁石３３ｃがＮ極、磁石３３ｃがＳ極になるよう設けられている。また、図６（ｂ）に示すように、内カバー１１側の表面に配置された磁石３３は、連結回転軸部１３ｂと反対側の端部のものから順に、内カバー１１に向かって、磁石３３ｅがＮ極、磁石３３ｆがＳ極、磁石３３ｇがＮ極、磁石３３ｈがＮ極になるよう設けられている。
【００３５】
図６（ａ）に示すように、外カバー１２の磁石３２は、６つから成り、各外側側縁部１２ａに３つずつ並んで配置されている。各磁石３２は、磁石３２ａが磁石３３ａに対向する位置に、磁石３２ｂが磁石３３ｂに対向する位置からやや連結スライド溝１３ａに寄った位置に、磁石３２ｃが磁石３３ｃと磁石３３ｄとの間に配置されている。また、各回転補助部材１３に向かって、磁石３２ａがＮ極、磁石３２ｂがＳ極、磁石３２ｃがＳ極になるよう設けられている。
【００３６】
図６（ｂ）に示すように、内カバー１１の磁石３１は、１２個から成り、基板部２１の各内側側縁部２１ｂに６つずつ配置され、それぞれ内側回転軸部２１ｄの両脇に３つずつ並んで配置されている。各磁石３１は、磁石３１ａが磁石３３ｅに対向する位置に、磁石３１ｂが磁石３３ｆに対向する位置に、磁石３１ｃが連結スライド溝１３ａに対向する位置に、磁石３１ｄが磁石３３ｇに対向する位置に、磁石３１ｅが磁石３３ｇと磁石３３ｈとの間に、磁石３１ｆが磁石３３ｈに対向する位置に配置されている。また、回転補助部材１３に向かって、磁石３１ａがＳ極、磁石３１ｂがＮ極、磁石３１ｃがＳ極、磁石３１ｄがＳ極、磁石３１ｅがＮ極、磁石３１ｆがＳ極になるよう設けられている。なお、各磁石３１、３２、３３は、Ｎ極とＳ極とが逆になっていてもよい。
【００３７】
［保護状態と使用状態との間の変形動作・作用］
図７（ａ）に示すように、スマートフォンカバー１０は、内カバー１１にスマートフォン１を固定した状態で、内カバー１１でスマートフォン１の背面側を覆い、外カバー１２でスマートフォン１の正面側の画面３を覆うことにより、保護状態となり、スマートフォン１を保護することができる。このとき、各回転補助部材１３の磁石３３と、内カバー１１の磁石３１および外カバー１２の磁石３２との間に作用する引力により、保護状態を保持することができる。
【００３８】
スマートフォンカバー１０は、以下のようにして、図７（ａ）に示す保護状態と、図７（ｅ）に示す使用状態とを切り替えることができる。すなわち、まず、図７（ａ）に示す保護状態から、図７（ｂ）に示すように、外カバー１２に対して内カバー１１をスライドさせて横にずらすよう、各外側スライド溝１２ｃと各内側回転軸部２１ｄとが離れる方向（図中の矢印方向）に力を加え、各連結回転軸部１３ｂを各外側スライド溝１２ｃに沿ってスライドさせるとともに、各内側回転軸部２１ｄを各連結スライド溝１３ａに沿ってスライドさせる。このとき、外カバー１２の回転補助凸部１２ｄに各回転補助部材１３が乗り上げるため、図８（ａ）に示すように、梃子の原理に従って、各連結回転軸部１３ｂを中心として外カバー１２に対して各回転補助部材１３が回転し、各回転補助部材１３の各連結回転軸部１３ｂとは反対側の端部が、外カバー１２に対して持ち上げられる。それと同時に、図８（ｂ）に示すように、外カバー１２の磁石３２ａと各回転補助部材１３の磁石３３ｂ、外カバー１２の磁石３２ｃと各回転補助部材１３の磁石３３ｄとの間に斥力が作用するため、外カバー１２に対してさらに各連結回転軸部１３ｂが持ち上げられる。
【００３９】
また、図９（ａ）および（ｂ）に示すように、各連結回転軸部１３ｂに対して内カバー１１もスライドし、各連結スライド溝１３ａの傾斜により、内カバー１１を浮かせて、内カバー１１と外カバー１２との間隔をさらに開くことができる。それと同時に、図９（ｃ）に示すように、内カバー１１の磁石３１ｂと各回転補助部材１３の磁石３３ｅ、内カバー１１の磁石３１ｃと各回転補助部材１３の磁石３３ｆ、内カバー１１の磁石３１ｅと各回転補助部材１３の磁石３３ｇ、内カバー１１の磁石３１ｆと各回転補助部材１３の磁石３３ｄとの間に斥力が作用する。
【００４０】
次に、図７（ｃ）に示すように、内カバー１１にさらに矢印方向に力を加えることにより、図１０に示すように、内カバー１１の磁石３１ｂと各回転補助部材１３の磁石３３ｅ、内カバー１１の磁石３１ｃと各回転補助部材１３の磁石３３ｆ、内カバー１１の磁石３１ｅと各回転補助部材１３の磁石３３ｇ、内カバー１１の磁石３１ｆと各回転補助部材１３の磁石３３ｄとの間の斥力により、各回転補助部材１３に対して、各内側回転軸部２１ｄを中心として内カバー１１が回転する方向に力が加わり、内カバー１１が回転し始める。
【００４１】
加えた力や回転の勢いにより、内カバー１１が９０度程度回転すると、図７（ｄ）に示すように、重力や各磁石３１、３２、３３の引力により、さらに内カバー１１が回転し、内カバー１１の背面側に外カバー１２が位置するまで、１８０度回転する。このとき、各磁石３１の引力により、各外側スライド溝１２ｃと各内側回転軸部２１ｄとが近づくよう、各連結回転軸部１３ｂが各外側スライド溝１２ｃに沿ってスライドするとともに、各内側回転軸部２１ｄが各連結スライド溝１３ａに沿ってスライドし、図７（ｅ）に示すように、外カバー１２が内カバー１１の背面に重なる位置まで移動する。こうして、保護状態から使用状態にすることができる。使用状態のときにも、同様にして、スライド、回転、スライドの操作をすることにより、図７（ａ）に示す保護状態にすることができる。
【００４２】
スマートフォンカバー１０は、外カバー１２に対して内カバー１１を回転させる前に、外カバー１２に対して内カバー１１を横にずらしておくことにより、外カバー１２に対して内カバー１１を回転させるためのスペースをあけることができ、容易に内カバー１１を回転させることができる。また、回転補助凸部１２ｄや各連結スライド溝１３ａの傾斜により、外カバー１２に対する内カバー１１の回転を容易にすることができる。また、各磁石３１、３２、３３の間に働く引力や斥力により、外カバー１２に対する内カバー１１の回転運動やスライド運動を付勢することができるため、保護状態と使用状態との間の変形を、容易に行うことができる。
【００４３】
スマートフォンカバー１０は、片手で外カバー１２を把持し、把持した手の指（親指など）で内カバー１１をスライドさせることにより、外カバー１２に対して内カバー１１を容易に回転やスライドさせることができ、スマートフォン１の画面３を開いて使用する状態と画面３を保護する状態とを片手で切り替えることができる。また、スマートフォン１の使用時には、外カバー１２が内カバー１１の背面を覆う位置まで移動しているため、外カバー１２が邪魔にならない。このため、使用時に煩わされるものがなく、片手で容易に画面３の操作を行うことができる。
【００４４】
スマートフォンカバー１０は、図１１に示すように、内カバー１１の磁石３１と各回転補助部材１３の磁石３３との間の斥力を利用して、外カバー１２に対する内カバー１１の回転を途中で止めた任意の角度で、内カバー１１を保持することができる。これにより、スマートフォン１を所望の角度に傾斜させた状態で、動画や映画、テレビ等を視聴することができる。
【００４５】
［内カバー１１の動作］
図１２（ａ）に示すように、内カバー１１は、保護状態や使用状態のとき、基板部２１の内側に固定傾斜部２２を重ね合わせた状態で用いられる。このとき、内カバー１１は、固定傾斜部２２の各傾斜用回転軸部２２ｃを、それぞれ対応する基板部２１の回転用ガイド溝２１ｅに挿入し、固定傾斜部２２の各スライド挿入部２２ｅを、それぞれ対応する基板部２１のスライド用ガイド溝２１ｆに挿入した状態になっている。内カバー１１は、この状態から、固定傾斜部２２が、基板部２１の外カバー１２とは反対側に立ち上がって傾斜した状態にすることができる。
【００４６】
すなわち、図１２（ｂ）に示すように、固定傾斜部２２を、各内側側縁部２１ｂの長さ方向に沿って、基板部２１に対して第２長辺側縁部２２ｂの側（図中の矢印方向）にスライドさせる。これにより、各スライド挿入部２２ｅを各スライド用ガイド溝２１ｆから外すことができる。次に、図１２（ｃ）に示すように、各傾斜用回転軸部２２ｃを中心として、固定傾斜部２２の第２長辺側縁部２２ｂの側を持ち上げる。ここで、図１２（ｄ）に示すように、基板部２１に対して固定傾斜部２２を所定の角度で固定するよう、各爪部２２ｄを引っ掛けるための１対の引掛溝２１ｉを、あらかじめ基板部２１の各回転用ガイド溝２１ｅの内側面に設けておく。図１２（ｅ）に示すように、第２長辺側縁部２２ｂの側を持ち上げた固定傾斜部２２を、第１長辺側縁部２１ｃの側（図中の矢印方向）にスライドさせて、各爪部２２ｄを各引掛溝２１ｉに引っ掛ける。これにより、図１２（ｆ）に示すように、固定傾斜部２２を基板部２１に対して傾斜した状態に固定することができる。
【００４７】
このように、スマートフォンカバー１０は、使用状態の時に、固定傾斜部２２に固定したスマートフォン１を、基板部２１の外カバー１２とは反対側に立ち上がって傾斜した状態に維持することができる。このため、例えば動画等を視聴する際に、スマートフォン１を傾斜させた状態でテーブル等の上に置いて使用することができる。
【００４８】
なお、図２および図３（ｃ）に示すように、内カバー１１は、基板部２１の内側に固定傾斜部２２を重ね合わせた状態のとき、互いに引力が作用するよう、基板部２１および固定傾斜部２２のそれぞれ対向する位置に、固定用の磁石４１、４２を有していてもよい。この場合、基板部２１および固定傾斜部２２が、互いに重ね合わせた状態から容易に移動しないようにすることができる。また、図３（ａ）、（ｃ）、図１２（ｄ）および（ｅ）に示すように、固定傾斜部２２の各傾斜用回転軸部２２ｃが磁石４３を有し、その磁石４３が、内カバー１１の磁石３１ａとの間で引力が、内カバー１１の磁石３１ｂとの間で斥力が作用するよう設けられていてもよい。この場合、基板部２１および固定傾斜部２２を互いに重ね合わせた状態、ならびに、基板部２１に対して固定傾斜部２２を傾斜させた状態から、容易に動かないようにすることができる。
【００４９】
［設置用磁石を有する変形例］
図４に示すように、スマートフォンカバー１０は、外カバー１２の表面に複数の固定用の磁石４４を有していてもよい。この場合、各固定用の磁石４４の磁力により、金属製の壁や板など、金属製の物体に設置することができ、その状態でスマートフォン１を使用することができる。
【００５０】
［レンズカバーを有する変形例］
図１３に示すように、スマートフォンカバー１０は、外カバー１２の外側窓部１２ｂを覆って閉じる位置と、外側窓部１２ｂを開放する位置との間でスライド可能に、外カバー１２の内側の表面に沿って設けられたレンズカバー５１を有していてもよい。この場合、図１３に示す一例では、レンズカバー５１を自動的に開閉するよう、以下のような構成を有している。
【００５１】
すなわち、図１３（ａ）に示すように、スマートフォンカバー１０は、レンズカバー５１と外カバー１２の外側窓部１２ｂの近傍の位置とに、それぞれ互いに引力が作用するよう設けられた磁石５２、５３を有している。また、図１３（ｂ）および図２（ｂ）に示すように、内カバー１１の基板部２１に第１の磁石５４を有し、第１の磁石５４は、外カバー１２に対して内カバー１１を回転して保護状態から使用状態にするとき、レンズカバー５１の磁石５２と反発して、外側窓部１２ｂを開放する位置までレンズカバー５１をスライドさせるよう設けられている。このとき、図１３（ｃ）に示すように、スライドしたレンズカバー５１の磁石５２と、その近傍の回転補助部材１３の磁石３３ｇとの間で引力が作用するよう構成されていることが好ましい。また、図１３（ｄ）および図３（ｂ）に示すように、内カバー１１の固定傾斜部２２に第２の磁石５５を有し、第２の磁石５５は、外カバー１２に対して内カバー１１を回転して使用状態から保護状態にするとき、レンズカバー５１の磁石５２と引き合って、外側窓部１２ｂを覆う位置までレンズカバー５１をスライドさせるよう設けられている。
【００５２】
この図１３に示す構成により、保護状態のとき、スライドカバーが自動的に移動して外側窓部１２ｂを覆い、使用状態のとき、スライドカバーが自動的に移動して外側窓部１２ｂを開放することができる。これにより、保護状態のとき、スマートフォン１の画面３の全体を外カバー１２で保護することができる。また、スマートフォン１の背面側に内カバー１１および外カバー１２が位置する使用状態のときでも、背面の撮影用のレンズ２を使用して撮影を行うことができる。なお、レンズカバー５１で外側窓部１２ｂを開閉する構成は、磁石を利用する構成に限らず、バネや弾性体などを利用する構成や、手動でレンズカバー５１を移動させる構成など、いかなる構成であってもよい。
【００５３】
［左手および右手で把持可能な変形例］
図１４に示すように、スマートフォンカバー１０は、外カバー１２を、保護状態のときのスマートフォン１の画面３に沿った面内で、内カバー１１に対して１８０度回転させて、各回転補助部材１３に付け替え可能であってもよい。１８０度回転させたとき、内カバー１１に固定されたスマートフォン１のレンズ２の位置に対応するよう、外側窓部１２ｂやレンズカバー５１も、１８０度の回転対称の位置にそれぞれ設けられていることが好ましい。また、使用しない外側窓部１２ｂは、蓋５６で覆うことが好ましい。
【００５４】
この構成の場合、使用者の利き腕に応じて、外カバー１２を１８０度回転させて付け替えることにより、選択的に、図１４（ａ）に示す、左手で容易にスライドや回転の操作ができる構成や、図１４（ｂ）に示す、右手で容易にスライドや回転の操作ができる構成にすることができる。図１４（ａ）および（ｂ）では、図中の矢印方向に力を加えることにより、使用状態と保護状態との間の切り替え操作を行うことができる。
なお、スマートフォンカバー１０は、内カバー１１の側面に、ワイヤレスイヤホン・タッチペン・電源延長コードなどを収納可能に備え、内面にはスマートフォン用テレビアンテナを収納可能に備えていてもよい。
【符号の説明】
【００５５】
１  スマートフォン
２  レンズ
３  画面
１０  スマートフォンカバー
１１  内カバー
２１  基板部
２１ａ  内側窓部
２１ｂ  内側側縁部
２１ｃ  第１長辺側縁部
２１ｄ  内側回転軸部
２１ｅ  回転用ガイド溝
２１ｆ  スライド用ガイド溝
２１ｇ  固定部
２１ｈ  透明カバー
２１ｉ  引掛溝
３１  磁石
２２  固定傾斜部
２２ａ  内側窓部
２２ｂ  第２長辺側縁部
２２ｃ  傾斜用回転軸部
２２ｄ  爪部
２２ｅ  スライド挿入部
１２  外カバー
１２ａ  外側側縁部
１２ｂ  外側窓部
１２ｃ  外側スライド溝
１２ｄ  回転補助凸部
１２ｅ  ストラップ等取付部
３２  磁石
１３  回転補助部材
１３ａ  連結スライド溝
１３ｂ  連結回転軸部
３３  磁石
４１、４２、４３、４４  固定用磁石
５１  レンズカバー
５２、５３、５４、５５  磁石
５６  蓋
【図１】
2020096252.tif 000003
【図２】
2020096252.tif 000004
【図３】
2020096252.tif 000005
【図４】
2020096252.tif 000006
【図５】
2020096252.tif 000007
【図６】
2020096252.tif 000008
【図７】
2020096252.tif 000009
【図８】
2020096252.tif 000010
【図９】
2020096252.tif 000011
【図１０】
2020096252.tif 000012
【図１１】
2020096252.tif 000013
【図１２】
2020096252.tif 000014
【図１３】
2020096252.tif 000015
【図１４】
2020096252.tif 000016
【手続補正書】
【提出日】令和1年5月7日(2019.5.7)
【手続補正１】
【補正対象書類名】特許請求の範囲
【補正対象項目名】全文
【補正方法】変更
【補正の内容】
【特許請求の範囲】
【請求項１】
長方形板状のスマートフォンの背面側を覆って前記スマートフォンを固定可能に設けられた内カバーと、
前記内カバーに固定した前記スマートフォンの正面側の画面を被覆可能に設けられた外カバーと、
前記スマートフォンの平行な１対の側面の外方に、前記内カバーと前記外カバーとを、それぞれ前記スマートフォンの平行な他方の側面に沿った回転軸を中心として回転可能に連結するよう設けられた１対の回転補助部材とを有し、
各回転軸を中心として前記外カバーに対して前記内カバーを回転できるよう、各回転軸に対して垂直な方向に前記外カバーに対して前記内カバーをスライド可能であり、前記外カバーに対して前記内カバーを回転およびスライドさせることにより、前記外カバーが前記画面を覆う保護状態と、前記外カバーが前記画面を開放して前記内カバーの背面を覆う使用状態との間で変形可能に構成されており、
前記内カバーは、固定した前記スマートフォンの前記１対の側面のそれぞれの中央部に対応する位置から、互いに外側に向かって突出する１対の内側回転軸部を有し、
前記外カバーは、前記保護状態のとき、前記スマートフォンの前記１対の側面のそれぞれ同じ側の端部に対応する位置に、各側面に沿って細長く設けられた１対の外側スライド溝を有し、
各回転補助部材は、それぞれ対応する前記外側スライド溝にスライド可能に挿入された連結回転軸部と、前記連結回転軸部の方向に伸びて細長く設けられ、それぞれ対応する前記内側回転軸部をスライド可能に挿入した連結スライド溝とを有することを
特徴とするスマートフォンカバー。
【請求項２】
各外側スライド溝と各内側回転軸部とが離れるよう、各連結回転軸部と各内側回転軸部とをスライドさせて、各回転補助部材に対して、各内側回転軸部を中心として前記内カバーを相対的に回転させると共に、各連結回転軸部を中心として前記外カバーを相対的に回転させ、さらに各外側スライド溝と各内側回転軸部とが近づくよう、各連結回転軸部と各内側回転軸部とをスライドさせることにより、前記保護状態と前記使用状態との間で変形可能に構成されていることを特徴とする請求項１記載のスマートフォンカバー。
【請求項３】
各連結スライド溝は、前記保護状態のとき、前記連結回転軸部側の端部からその反対側の端部に向かって、水平または、前記スマートフォンの正面側から背面側に傾斜して設けられていることを特徴とする請求項１または２記載のスマートフォンカバー。
【請求項４】
各回転補助部材は、前記保護状態および前記使用状態のとき、前記スマートフォンの前記１対の側面のそれぞれに沿うよう設けられ、１または複数の磁石またはバネ素材を有し、
前記内カバーは、前記保護状態および前記使用状態のとき、各回転補助部材と対向するよう設けられた１対の内側側縁部を有し、各内側側縁部に、前記保護状態および前記使用状態のとき、各回転補助部材の前記磁石または前記バネ素材との間で引力または元の形状へ戻る力が作用し、前記保護状態および前記使用状態から各内側回転軸部を各連結スライド溝に沿ってスライドさせたとき、各回転補助部材の前記磁石または前記バネ素材との間で斥力が作用するよう設けられた１または複数の磁石またはバネ素材を有することを
特徴とする請求項１乃至３のいずれか１項に記載のスマートフォンカバー。
【手続補正２】
【補正対象書類名】明細書
【補正対象項目名】０００６
【補正方法】変更
【補正の内容】
【０００６】
上記目的を達成するために、本発明に係るスマートフォンカバーは、長方形板状のスマートフォンの背面側を覆って前記スマートフォンを固定可能に設けられた内カバーと、前記内カバーに固定した前記スマートフォンの正面側の画面を被覆可能に設けられた外カバーと、前記スマートフォンの平行な１対の側面の外方に、前記内カバーと前記外カバーとを、それぞれ前記スマートフォンの平行な他方の側面に沿った回転軸を中心として回転可能に連結するよう設けられた１対の回転補助部材とを有し、各回転軸を中心として前記外カバーに対して前記内カバーを回転できるよう、各回転軸に対して垂直な方向に前記外カバーに対して前記内カバーをスライド可能であり、前記外カバーに対して前記内カバーを回転およびスライドさせることにより、前記外カバーが前記画面を覆う保護状態と、前記外カバーが前記画面を開放して前記内カバーの背面を覆う使用状態との間で変形可能に構成されており、前記内カバーは、固定した前記スマートフォンの前記１対の側面のそれぞれの中央部に対応する位置から、互いに外側に向かって突出する１対の内側回転軸部を有し、前記外カバーは、前記保護状態のとき、前記スマートフォンの前記１対の側面のそれぞれ同じ側の端部に対応する位置に、各側面に沿って細長く設けられた１対の外側スライド溝を有し、各回転補助部材は、それぞれ対応する前記外側スライド溝にスライド可能に挿入された連結回転軸部と、前記連結回転軸部の方向に伸びて細長く設けられ、それぞれ対応する前記内側回転軸部をスライド可能に挿入した連結スライド溝とを有することを特徴とする。
【手続補正３】
【補正対象書類名】明細書
【補正対象項目名】００１２
【補正方法】変更
【補正の内容】
【００１２】
本発明に係るスマートフォンカバーで、前記内カバーは、固定した前記スマートフォンの前記１対の側面のそれぞれの中央部に対応する位置から、互いに外側に向かって突出する１対の内側回転軸部を有し、前記外カバーは、前記保護状態のとき、前記スマートフォンの前記１対の側面のそれぞれ同じ側の端部に対応する位置に、各側面に沿って細長く設けられた１対の外側スライド溝を有し、各回転補助部材は、それぞれ対応する前記外側スライド溝にスライド可能に挿入された連結回転軸部と、前記連結回転軸部の方向に伸びて細長く設けられ、それぞれ対応する前記内側回転軸部をスライド可能に挿入した連結スライド溝とを有する。
【手続補正４】
【補正対象書類名】明細書
【補正対象項目名】００１３
【補正方法】変更
【補正の内容】
【００１３】
このため、保護状態から使用状態に変形させるとき、まず、各外側スライド溝と各内側回転軸部とが離れるよう、各連結回転軸部を各外側スライド溝に沿ってスライドさせるとともに、各内側回転軸部を各連結スライド溝に沿ってスライドさせる。次に、各回転補助部材に対して、各内側回転軸部を中心として前記内カバーを相対的に回転させると共に、各連結回転軸部を中心として前記外カバーを相対的に回転させて、内カバーの背面側に外カバーが位置するように移動させる。さらに、各外側スライド溝と各内側回転軸部とが近づくよう、各連結回転軸部を各外側スライド溝に沿ってスライドさせるとともに、各内側回転軸部を各連結スライド溝に沿ってスライドさせる。これにより、保護状態から使用状態にすることができる。また、使用状態のとき、同様にして、スライド、回転、スライドの操作をすることにより、保護状態にすることができる。なお、各外側スライド溝や各連結スライド溝は、細長い孔から成っていてもよい。